(57)【要約】【課題】切断されてしまった場合であっても、切断された部分を容易に回収することができ、円滑に組み立てを再開することが可能となるアバットメント締結用ネジを提供する。【解決手段】人工歯根（１１）とアバットメント（１２）とを締結するアバットメント締結用ネジ（１３）であって、ネジ部（１３ａ）、頭（１３ｃ）、及びネジ部と頭とを連結するネジのない部位である胴部（１３ｂ）を有し、胴部にその外周を周方向に延びるネジ部のネジ溝よりも深い溝（１３ｄ）が形成されている。【選択図】図３
2017064187.tif 000002
【特許請求の範囲】
【請求項１】
人工歯根とアバットメントとを締結するアバットメント締結用ネジであって、
ネジ部、頭、及び前記ネジ部と前記頭とを連結するネジのない部位である胴部を有し、
前記胴部にその外周を周方向に延びる前記ネジ部のネジ溝よりも深い溝が形成されている、
アバットメント締結用ネジ。
【請求項２】
内側にメネジが形成された筒状の人工歯根と、
一端が前記人工歯根の内側に挿入される筒状のアバットメントと、
前記アバットメントの内側を貫通して前記人工歯根の前記メネジに前記ネジ部が螺合する請求項１に記載のアバットメント締結用ネジと、を備える、
歯科用インプラント。
【発明の詳細な説明】
【技術分野】
【０００１】
本発明は歯科用インプラントを構成する一つの部材であるアバットメント締結用ネジ、及びこのネジを用いた歯科用インプラントに関する。
【背景技術】
【０００２】
近年において歯を全顎的又は部分的に喪失した場合の治療手段として、機能性、審美性、操作性等の多くの点で利点を有する歯科用インプラント治療が広く普及している。
【０００３】
図６に従来の歯科用インプラント１００の図を表した。図６（ａ）は外観正面図、図６（ｂ）が断面図である。
これら図からわかるように、歯科用インプラント１００は、歯を喪失した部分の顎骨（歯槽骨）に埋入して該歯槽骨に結合する人工歯根１０１（フィクスチャー、インプラント体等と呼ばれることもある。）、人工歯根１０１の一端に取り付けられ、口腔内側に突出するアバットメント１０２（支台等と呼ばれることもある。）、及びアバットメント１０２に取り付けて保持される歯牙を模擬した歯科補綴物（不図示）を備えている。すなわち、アバットメント１０２は人工歯根１０１と歯科補綴物とを連結する部材として機能する。そしてアバットメント１０２は図６（ｂ）に表れているように、人工歯根１０１に対して、アバットメント締結用ネジ１０３で連結されている。
【０００４】
このようなアバットメントの形状は患者ごとに詳細に決めることができ、近年では例えば特許文献１に記載のようにＣＡＤ／ＣＡＭを用いて、アバットメントの大きさ、太さ、人工歯根との角度、表面の複雑な形状等、患者個人に合った形状のアバットメントを提供することが可能である。
【先行技術文献】
【特許文献】
【０００５】
【特許文献１】特開２００２−２２４１４２号公報
【発明の概要】
【発明が解決しようとする課題】
【０００６】
しかしながら、このように患者ごとに形状を設計し、精度よく各部材を作製しても、最終的に各部材を組み立てるのでは手作業による。そして、これら各部材は非常に小さいものであり、その組み立ても微細な力加減が要求される。特に、
アバットメント締結用ネジ１０３はその中でも最も小さく、締結の際には直接力を加える部位である。これにより、力加減を誤ると図６（ｃ）に示したように人工歯根１０１のネジ穴に挿入されているネジ部１０３ａで、アバットメント締結用ネジ１０３が切れてしまうことがあった。またアバットメント締結用ネジは、アバットメント装着後の側方力や過剰な咬合力によって使用中にもこの位置で切れてしまうこともある。
この部位で、アバットメント締結用ネジ１０３が切断してしまうと、人工歯根１０１内に残ってしまった該ネジ部分を取り出すのに非常に大きな手間がかかってしまう。
【０００７】
そこで本発明は、切断されてしまった場合であっても、切断された部分を容易に回収することができ、円滑に組み立てを再開することが可能となるアバットメント締結用ネジを提供することを課題とする。また、このネジを用いた歯科用インプラントを提供する。
【課題を解決するための手段】
【０００８】
以下、本発明について説明する。ここでは分かり易さのため、図面に付した参照符号を括弧書きで併せて記載するが、本発明はこれに限定されるものではない。
【０００９】
請求項１に記載の発明は、人工歯根（１１）とアバットメント（１２）とを締結するアバットメント締結用ネジ（１３）であって、ネジ部（１３ａ）、頭（１３ｃ）、及びネジ部と頭とを連結するネジのない部位である胴部（１３ｂ）を有し、胴部にその外周を周方向に延びるネジ部のネジ溝よりも深い溝（１３ｄ）が形成されている、アバットメント締結用ネジである。
【００１０】
請求項２に記載の発明は、内側にメネジが形成された筒状の人工歯根（１１）と、一端が人工歯根の内側に挿入される筒状のアバットメント（１２）と、アバットメントの内側を貫通して人工歯根のメネジにネジ部（１３ａ）が螺合する請求項１に記載のアバットメント締結用ネジ（１３）と、を備える、歯科用インプラント（１０）である。
【発明の効果】
【００１１】
本発明によれば、例えば誤った力加減によりアバットメント締結用ネジが切断してしまった場合であっても、ネジ頭より下の胴部分が長く人工歯根の中に残るため、これを取り出しやすい。すなわち、アバットメント締結用ネジの切断された部分を容易に回収することができ、引き続き組み立てが円滑に行える。
【図面の簡単な説明】
【００１２】
【図１】歯科用インプラント１０の分解斜視図である。
【図２】歯科用インプラント１０の断面図である。
【図３】アバットメント締結用ネジ１３の正面図である。
【図４】歯科用インプラント締結用ネジ１３が破壊された場面を説明する図である。
【図５】歯科用インプラント締結用ネジ１３が破壊された他の場面を説明する図である。
【図６】図６（ａ）は従来の歯科用インプラントの正面図、図６（ｂ）は従来の歯科用インプラントの断面図、図６（ｃ）は切断されてしまった状態を示す歯科用インプラントの断面である。
【発明を実施するための形態】
【００１３】
図１は１つの形態に係る歯科用インプラント１０の分解斜視図、図２は歯科用インプラント１０の断面図である。図２では見易さのため、アバットメント１２のみハッチングで表した。図１、図２からわかるように歯科用インプラント１０は、人工歯根１１、アバットメント１２、アバットメント締結用ネジ１３と備えている。またさらに不図示の歯科補綴物を備えている。
【００１４】
人工歯根１１は、フィクスチャーあるいはインプラント体とも呼ばれ、歯を喪失した部分の歯槽骨に埋入されて歯科用インプラント１０の全体を口腔内に適切に固定するための基礎となる部材である。ここでは公知の人工歯根１１を用いることができる。
図２からわかるように、人工歯根１１は、筒状であり、その側には顎骨に係合するための螺状溝１１ａが設けられている。一方、人工歯根１１の筒状の内側には、アバットメント締結用ネジ１３が螺合するメネジ１１ｂが形成されている。
【００１５】
アバットメント１２は、その顎骨側（図１では下端側）を人工歯根１１の筒状の内側に配置され、その口腔内側（図１では上端側）には人工歯冠等の歯科補綴物が取り付けられる。すなわち、アバットメント１２は人工歯根１１と歯科補綴物とを連結する部材として機能する。
【００１６】
アバットメント１２は円筒に近い筒状体であり、その内側にはアバットメント締結用ネジ１３が挿入できるように構成されている。より詳しくは、アバットメント１２のうち人工歯根１１の内側に挿入される端部はその外形及び内形とも細くなるように挿入部１２ａが形成されている。そして挿入部１２ａには、図１に表れているように、その外周部に、人工歯根１１の内側の形態に係合してアバットメント１２が軸線中心に回転することを防ぐ回り止め１２ｂが設けられている。
またアバットメント１２の筒状の内側では挿入部１２ａにおいて狭くされており、ここにはアバットメント締結用ネジ１３のうちネジ部１２ａ及び胴部１２ｂは貫通することができるが、頭１３ｃは貫通することができない大きさとされれている。これにより頭１３ｃがアバットメント１２の内側に引っ掛かり、人工歯根１１とアバットメント１２とが強固に締結される。
【００１７】
アバットメント締結用ネジ１３は、図２によく表れているように、人工歯根１１とアバットメント１２とを締結するネジである。図３にアバットメント締結用ネジ１３の正面図を表した。図１〜図３よりわかるように、アバットメント締結用ネジ１３は、ネジ部１３ａ、胴部１３ｂ、及び頭１３ｃを有して構成されている。そして胴部１３ｂには、その周方向に延びる溝１３ｄが設けられている。ここで、当該溝１３ｄ以外の部位は、公知のアバットメント締結用ネジ１３と同じ構成にすることができる。
【００１８】
ネジ部１３ａは、人工歯根１１の内側に形成されたメネジに螺合するオネジが形成された部位である。
胴部１３ｂは、頭１３ｃとネジ部１３ａとを連結するネジのない部位で、円柱状で、ネジ部１３ａと概ね同じ直径である。
頭１３ｃは、ネジ部１３ａ及び胴部１３ｂよりも太く形成され、工具等によりアバットメント締結用ネジ１３を回転させる操作部として機能する部位である。また、図２からわかるように、頭１３ｃと胴部１３ｂとの直径の差を利用してアバットメント１２の挿入部１２ａに係止して、アバットメント１２と人工歯根１１とを締結している。
【００１９】
溝１３ｄは胴部１３ｂに形成され、該胴部１３ｂの外周を周方向に延びる溝である。当該溝１３は胴部１３ｂの外周を周方向に一周することが好ましい。これは、後述するようにアバットメント締結用ネジ１３を取り付ける際に、締結時に
必要以上の力が加わったときや、使用時に想定外の側方力や過剰な咬合力が加わったときには、この溝１３ｄでアバットメント締結用ネジ１３がねじ切れ、破壊されるように形成される。従って、溝１３ｄは、上記のような際に最初に破壊される深さを有していることが必要である。すなわち、ネジ部１３ａの谷部の直径よりも溝１３ｄの最深部における胴部１３ｂの直径が小さくなるように溝１３ｄの深さを設定する。
【００２０】
不図示であるが、歯科補綴物は、例えば人工歯冠のように歯列の欠損部を実質的に補う部材であり、歯牙を模した形状を有しており、歯牙の形状及び質感が再現されている。このような歯科補綴物には公知のものを用いることができる。
【００２１】
以上のような歯科用インプラント１０は、例えば次のように組み上げられる。
顎骨に埋設された人工歯根１１に対して、図２に表れているようにアバットメント１２の挿入部１２ａを人工歯根１１の内側に挿入する。そして、アバットメント締結用ネジ１３をネジ部１３ａが人工歯根１１側を向くようにしてアバットメント１２に挿入し、工具で頭１３ｃを回転操作することにより人工歯根１１の内側に形成されたメネジ１１ｂにアバットメント締結用ネジ１３のネジ部１３ａに形成されたオネジを螺合させる。このとき、アバットメント締結用ネジ１３の頭１３ｃがアバットメント１２の挿入部１２ａの段差に引っ掛かり、アバットメント１２と人工歯根１１とが締結される。
そして、アバットメント１２のうち人工歯根１１と締結された側とは反対側の端部に歯科補綴物を装着する。
【００２２】
上記のように歯科用インプラント１０を組み上げられる際に、工具で頭１３ｃを回転操作することにより人工歯根１１の内側に形成されたメネジ１１ｂにアバットメント締結用ネジ１３のネジ部１３ａに形成されたオネジを螺合させるのは、人の手作業によるものである。また、アバットメント締結用ネジ１３は、非常に小さい部材である。従って、何らかの理由により力加減を誤り、必要以上に強い力でこれを回転させると破壊されてねじ切れてしまう。これに対して本発明によれば図４に示したように、溝１３ｄが形成されており、ここでアバットメント締結用ネジ１３が細く形成されているので、溝１３ｄから破壊される。溝１３ｄは胴部１３ｂに形成されているので、ネジ部１３ａで破壊されるよりもアバットメント１２側に突出した態様で破壊が起こる。従って図５に示したようにその後にアバットメント１２を取り去れば、アバットメント締結用ネジ１３が人工歯根１１から突出した態様で残る。このような残り方であれば、工具等を利用してこれを除去することは比較的容易である。
【００２３】
このように、本発明によれば、アバットメント締結用ネジが切断してしまった場合であっても、頭より下の部分の大部分が長く人工歯根の中に残るため、これを取り出しやすい。すなわち、アバットメント締結用ネジの切断された部分を容易に回収することができ、引き続き組み立てが円滑に行える。
【符号の説明】
【００２４】
１０  歯科用インプラント
１１  人工歯根
１２  アバットメント
１３  アバットメント締結用ネジ
【図１】
2017064187.tif 000003
【図２】
2017064187.tif 000004
【図３】
2017064187.tif 000005
【図４】
2017064187.tif 000006
【図５】
2017064187.tif 000007
【図６】
2017064187.tif 000008